(57)【特許請求の範囲】
【請求項１】
通信システムの端末における制御情報を送信する方法であって、
前記制御情報を送信するように構成された物理アップリンク制御チャンネル及びデータ情報を送信するように構成された物理アップリンク共有チャンネルの同時送信が行われるか否かを示す指示情報を無線リソース制御（ＲＲＣ）層でのＵＥ特定シグナリングを通じて基地局から受信するステップと、
前記指示情報が前記物理アップリンク制御チャンネル及び前記物理アップリンク共有チャンネルの同時送信を指示しない場合に、前記制御情報を、前記物理アップリンク共有チャンネルを通して送信するステップと、
を有し、
前記制御情報は、ハイブリッド自動再送要求確認応答及びチャンネル品質インジケータに関する情報の中の少なくとも一つを有し、
前記指示情報が、前記物理アップリンク制御チャンネル及び前記物理アップリンク共有チャンネルの同時送信を指示する場合において、前記制御情報が前記ハイブリッド自動再送要求確認応答及び前記チャンネル品質インジケータに関する情報をすべて含む場合に、前記ハイブリッド自動再送要求確認応答は前記物理アップリンク制御チャンネルを通して送信され、前記チャンネル品質インジケータは前記物理アップリンク共有チャンネルを通して送信されるステップを有することを特徴とする方法。
【請求項２】
前記指示情報が、前記物理アップリンク制御チャンネル及び前記物理アップリンク共有チャンネルの同時送信を指示する場合において、前記制御情報が、前記ハイブリッド自動再送要求確認応答及び前記チャンネル品質インジケータの中のいずれか一つに関する情報だけを含む場合に、前記制御情報は、前記物理アップリンク制御チャンネルを通して送信されるステップを有することを特徴とする請求項１に記載の方法。
【請求項３】
通信システムの基地局における制御情報を受信する方法であって、
前記制御情報を送信するように構成された物理アップリンク制御チャンネル及びデータ情報を送信するように構成された物理アップリンク共有チャンネルの同時送信が行われるか否かを示す指示情報を無線リソース制御（ＲＲＣ）層でのＵＥ特定シグナリングを通じて端末に送信するステップと、
前記指示情報が前記物理アップリンク制御チャンネル及び前記物理アップリンク共有チャンネルの同時送信を指示しない場合に、前記制御情報を、前記物理アップリンク共有チャンネルを通して受信するステップと、
を有し、
前記制御情報は、ハイブリッド自動再送要求確認応答及びチャンネル品質インジケータに関する情報の中の少なくとも一つを有し、
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータに関する情報をすべて含む場合に、前記ハイブリッド自動再送要求確認応答は前記物理アップリンク制御チャンネルを通して受信され、前記チャンネル品質インジケータは前記物理アップリンク共有チャンネルを通して受信されるステップを有することを特徴とする方法。
【請求項４】
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータの中のいずれか一つに関する情報だけを含む場合に、前記制御情報は前記物理アップリンク制御チャンネルを通して受信されるステップを有することを特徴とする請求項３に記載の方法。
【請求項５】
通信システムにおける制御情報を送信する端末装置であって、
前記制御情報を送信するように構成された物理アップリンク制御チャンネル及びデータ情報を送信するように構成された物理アップリンク共有チャンネルの同時送信が行われるか否かを示す指示情報を無線リソース制御（ＲＲＣ）層でのＵＥ特定シグナリングを通じて基地局から受信する受信部と、
前記指示情報が前記物理アップリンク制御チャンネル及び前記物理アップリンク共有チャンネルの同時送信を指示しない場合に、前記制御情報を、前記物理アップリンク共有チャンネルを通して送信する送信部と、
を有し、
前記制御情報は、ハイブリッド自動再送要求確認応答及びチャンネル品質インジケータに関する情報の中の少なくとも一つを有し、
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータに関する情報をすべて含む場合に、前記送信部は、前記ハイブリッド自動再送要求確認応答を、前記物理アップリンク制御チャンネルを通して送信し、前記チャンネル品質インジケータを、前記物理アップリンク共有チャンネルを通して送信することを特徴とする端末装置。
【請求項６】
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータの中のいずれか一つに関する情報だけを含む場合に、前記送信部は、前記制御情報を、前記物理アップリンク制御チャンネルを通して送信することを特徴とする請求項５に記載の端末装置。
【請求項７】
通信システムにおける制御情報を受信する基地局装置であって、
前記制御情報を送信するように構成された物理アップリンク制御チャンネル及びデータ情報を送信するように構成された物理アップリンク共有チャンネルの同時送信が行われるか否かを示す指示情報を無線リソース制御（ＲＲＣ）層でのＵＥ特定シグナリングを通じて端末に送信する送信部と、
前記指示情報が前記物理アップリンク制御チャンネル及び前記物理アップリンク共有チャンネルの同時送信を指示しない場合に、前記制御情報を、前記物理アップリンク共有チャンネルを通して受信する受信部と、
を有し、
前記制御情報は、ハイブリッド自動再送要求確認応答及びチャンネル品質インジケータに関する情報の中の少なくとも一つを有し、
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータに関する情報をすべて含む場合に、前記受信部は、前記ハイブリッド自動再送要求確認応答を、前記物理アップリンク制御チャンネルを通して受信し、前記チャンネル品質インジケータを、前記物理アップリンク共有チャンネルを通して受信することを特徴とする基地局装置。
【請求項８】
前記指示情報が前記物理アップリンク制御チャンネル及び前記物理アップリンク共有チャンネルの同時送信を指示する場合において、前記制御情報が前記ハイブリッド自動再送要求確認応答及び前記チャンネル品質インジケータの中のいずれか一つに関する情報だけを含む場合に、前記受信部は、前記制御情報を、前記物理アップリンク制御チャンネルを通して受信することを特徴とする請求項７に記載の基地局装置。
【発明の詳細な説明】
【技術分野】
【０００１】
本発明は無線通信システムに関するもので、より詳しくは、通信システムのアップリンクでの制御情報の送信に関する。
【背景技術】
【０００２】
通信システムは、基地局(Ｎｏｄｅ Ｂ)からユーザー装置(ＵＥ)への信号送信をサポートするダウンリンク(ＤＬ)及びＵＥからＮｏｄｅ Ｂへの信号送信をサポートするアップリンク(ＵＬ)で構成される。また、一般的に、端末機又は移動局として呼ばれるＵＥは、固定型又は移動型であり、無線装置、セルフォン、パーソナルコンピュータ装置となり得る。Ｎｏｄｅ Ｂは、一般的に固定局であり、基地局送受信システム(ＢＴＳ）、アクセスポイント、又はその他の専門用語として呼ばれることができる。
【０００３】
ＵＬ信号は、情報内容を搬送するデータ信号、制御信号、及びパイロット信号としても知られている基準信号(ＲＳ)からなる。ＵＥは、物理アップリンク共有チャンネル(ＰＵＳＣＨ）でＵＬデータ信号を伝送する。ＵＬ制御信号は、ハイブリッド自動再送要求(ＨＡＲＱ)の適用に関連した確認応答信号、サービス要求(ＳＲ)信号、チャンネル品質インジケータ(ＣＱＩ)信号、プリコーディングマトリックスインジケータ(ＰＭＩ)信号、又は順位インジケータ(ＲＩ)信号を含む。ＨＡＲＱ-確認応答(ＨＡＲＱ-ＡＣＫ)、ＳＲ、ＣＱＩ、ＰＭＩ、又はＲＩの任意の組み合わせは、アップリンク制御情報(ＵＣＩ)と称する。ＵＣＩは、物理アップリンク制御チャンネル(ＰＵＣＣＨ)で送信され、あるいは送信時間間隔(ＴＴＩ)でデータと共にＰＵＳＣＨで送信することができる。
【０００４】
ＵＥは、ＤＬでのデータパケット受信に応答してＨＡＲＱ-ＡＣＫ信号を送信する。データパケット受信が正確であるかあるいは不正確であるかによって、ＨＡＲＱ-ＡＣＫ信号は、それぞれＡＣＫ又はＮＡＫ値を有する。ＵＥは、信号送信のためのＵＬリソースを要求するＳＲ信号を送信する。ＵＥは、経験しているＤＬチャンネル状態をＮｏｄｅ Ｂに通知するためのＣＱＩ信号を送信し、Ｎｏｄｅ ＢがＤＬデータパケットのチャンネル依存型スケジューリングを遂行可能にする。ＵＥは、ＰＭＩ/ＲＩ信号を送信し、多重入力多重出力(ＭＩＭＯ)原理によって多重Ｎｏｄｅ ＢアンテナからＵＥへの信号送信の結合方法をＮｏｄｅ Ｂに通知する。ＨＡＲＱ-ＡＣＫ、ＳＲ、ＣＱＩ、ＰＭＩ、及びＲＩ信号の可能な組み合わせのうち任意の組み合わせは、データ情報と共にＰＵＳＣＨで、又はデータ情報とは別途にＰＵＣＣＨで送信できる。
【０００５】
図１は、便宜上、一つのサブフレームからなると仮定するＵＬ  ＴＴＩでのＰＵＳＣＨ送信のための構成を示す。サブフレーム１１０は、２個のスロットを含む。各スロット１２０は、データ情報、ＵＣＩ、又はＲＳの送信に使用される
【０００６】
【数１】
0005450657.tif 000002
【０００７】
個のシンボルを含む。各シンボル１３０は、チャンネル伝搬効果による干渉を緩和するようにサイクリックプレフィックス(ＣＰ)をさらに含む。一つのスロットのＰＵＳＣＨ送信は、他のスロットのＰＵＳＣＨ送信と同一の動作帯域幅(ＢＷ)にあり、あるいはその動作帯域幅の異なる部分にあり得る。各スロットの一部シンボルは、ＲＳ送信１４０に使用してチャンネル推定を提供し、受信信号のコヒーレント復調(cohrernt  demodulation)を可能にする。送信ＢＷは、物理リソースブロック(ＰＲＢ)として呼ばれる周波数リソース単位で構成されると仮定する。また、各ＰＲＢは、
【０００８】
【数２】
0005450657.tif 000003
【０００９】
個のサブキャリア、又はリソース要素(ＲＥ)からなると仮定する。ＵＥは、ＰＵＳＣＨ送信のためにＭPUSCH個のＰＲＢ１５０が割り当てられ、ＰＵＳＣＨ送信ＢＷのために合計
【００１０】
【数３】
0005450657.tif 000004
【００１１】
個のＲＥを有する。サブフレームの最終シンボルは、一つ以上のＵＥからのＳＲＳ（Sounding Reference Signal）１６０の送信に使用することができ、その主要機能は、このようなＵＥ各々が経験するＵＬチャンネルに対するＣＱＩを提供するものである。
【００１２】
図２に、同一のＰＵＳＣＨサブフレームでのＵＣＩ及びデータ送信のためのＵＥ送信器のブロック構成図を示す。符号化されたＣＱＩビット及び/又はＰＭＩビット２０５及び符号化されたデータビット２１０は、ステップ２２０で多重化(multiplexing)される。ＨＡＲＱ-ＡＣＫビットも多重化が必要であると、データビットは、ステップ２３０で、ＨＡＲＱ-ＡＣＫビットを収容するように間引かれる（punctured）。結合されたデータビットとＵＣＩビットの離散フーリエ変換(ＤＦＴ)は、ステップ２４０で得られる。ステップ２５５で、割り当てられた送信ＢＷに対応するＲＥは、ローカル化されたＦＤＭＡの制御によって、ステップ２５０でサブキャリアマッピングを通じて選択される。逆高速フーリエ変換(ＩＦＦＴ)は、ステップ２６０で遂行される。ＣＰは、ステップ２７０で挿入され、ステップ２８０でタイムウィンドウイングを通じてフィルタリングが適用されて送信信号２９０を獲得する。デジタル/アナログ変換器、アナログフィルタ、増幅器、及び送信器アンテナのような付加的な送信器回路は図示されてない。また、データビット及びＣＱＩ及び/又はＰＭＩビットのための符号化プロセスだけでなく、送信されたすべてのビットのための変調プロセスは、便宜上省略する。ＰＵＳＣＨ信号送信は、一つのクラスタ２９５Ａにわけて、あるいは連続するＢＷの複数の非連続クラスタ２９５Ｂにわける信号送信を許容するＤＦＴ拡散直交周波数多重接続(ＤＦＴ-Ｓ-ＯＦＤＭＡ)(シングルキャリア周波数分割多重接続(ＳＣ-ＦＤＭＡ)としても知られている)方法によって連続するＲＥのクラスタにわけて遂行されると仮定する。
【００１３】
Ｎｏｄｅ  Ｂ受信器は、ＵＥ送信器の反対(相補)動作を遂行する。これは、図２に示した動作の逆動作が遂行される図３に概念的に示されている。アンテナが無線周波数(ＲＦ)アナログ信号を受信してから、便宜上図示しないユニット(フィルタ、増幅器、周波数ダウンコンバータ、及びアナログ/デジタル変換器)を処理した後に、デジタル信号３１０は、ステップ３２０でタイムウィンドウイングを通じてフィルタリングされ、ＣＰはステップ３３０で除去される。その後、Ｎｏｄｅ  Ｂ受信器は、ステップ３４０で高速フーリエ変換(ＦＦＴ)を適用する。ＵＥ送信器により使用されるＲＥは、ステップ３４５での受信帯域幅の制御下にステップ３５０でサブキャリアデマッピングを通じて選択される。逆ＤＦＴ(ＩＤＦＴ)は、ステップ３６０で適用される。ステップ３７０で、ＨＡＲＱ-ＡＣＫビットが抽出され、データビットに対する各除去値(erasures)が位置される。データビット３９０とＣＱＩ/ＰＭＩビット３９５は、ステップ３８０で逆多重化される。チャンネル推定、復調、及び復号化のように公知されているＮｏｄｅ  Ｂ受信器の機能は、便宜上図示しない。
【００１４】
サブフレームの一つのスロットでのＰＵＣＣＨ送信のための構成は、ＨＡＲＱ-ＡＣＫ、ＳＲ、又はＲＩ送信に対して図４に、そしてＣＱＩ又はＰＭＩ送信に対して図５に示されている。周波数ダイバシティのために動作ＢＷの異なる部分で遂行され得る他のスロットでの送信は、同一の構成を有するが、例外的に最終シンボルは、間引かれてＰＵＳＣＨのためのＳＲＳ送信を収容することができる。各ＵＣＩ信号に対するＰＵＣＣＨ送信は、一つのＰＲＢで行われる。
【００１５】
図４を参照すると、ＨＡＲＱ-ＡＣＫ(又はＳＲ、又はＲＩ)送信構成４１０は、ＨＡＲＱ-ＡＣＫ信号及びＨＡＲＱ-ＡＣＫ信号のコヒーレント復調を可能にするためのＲＳの送信を含む。ＨＡＲＱ-ＡＣＫビット４２０は、一定振幅ゼロ自己相関(Constant  Amplitude Zero Auto-Correlation：ＣＡＺＡＣ)シーケンス４４０を、例えばＢＰＳＫ又はＱＰＳＫ変調を用いて変調し(４３０)、後述するようにＩＦＦＦ動作が遂行された後に送信される。各ＲＳ４５０は、変調されないＣＡＺＡＣシーケンスを通じて送信される。
【００１６】
図５を参照すると、ＣＱＩ(又はＰＭＩ)送信構成５１０は、ＣＱＩ信号及びＲＳの送信を含む。ＣＱＩビット５２０は、ＣＡＺＡＣシーケンス５４０を、例えばＱＰＳＫ変調を用いて再び変調し(５３０)、その次にＩＦＦＴ動作が遂行された後に送信される。各ＲＳ５５０は、変調されないＣＡＺＡＣシーケンスを通じて送信される。
【００１７】
ＣＡＺＡＣシーケンスの一例は、以下の数式(１)により得られる。
【００１８】
【数４】
0005450657.tif 000005
【００１９】
ここで、ＬはＣＡＺＡＣシーケンスの長さであり、ｎはシーケンスの一つの要素のインデックスｎ＝｛０,１,…,Ｌ-１｝であり、ｋはシーケンスのインデックスである。Ｌが素数であると、｛０,１,…,Ｌ-１｝範囲でｋとして定義されるＬ-１個の個別的なシーケンスが存在する。ＰＲＢが、例えば、
【００２０】
【数５】
0005450657.tif 000006
【００２１】
のように偶数のＲＥからなると、均等な長さのＣＡＺＡＣシーケンスは、ＣＡＺＡＣ性質を満たすシーケンスに対するコンピュータ検索を通じて直接生成することができる。
【００２２】
図６は、変調されずにＲＳとして、または、変調されてＨＡＲＱ-ＡＣＫ信号として、又はＢＰＳＫ(１個のＨＡＲＱ-ＡＣＫビット)又はＱＰＳＫ(２個のＨＡＲＱ-ＡＣＫビット又はＣＱＩビット)を用いてＣＱＩ信号として使用できるＣＡＺＡＣシーケンスのためのＵＥ送信器構成を示す。ステップ６１０で、コンピュータで生成されたＣＡＺＡＣシーケンスの周波数ドメインバージョンが使用される。ステップ６２０で送信帯域幅の制御の下に、ステップ６３０で、割り当てられたＰＵＣＣＨ  ＢＷに対応するＲＥはサブキャリアマッピングを通じて選択される。ステップ６４０ではＩＦＦＴが遂行され、ＣＳは、後述するようにステップ６５０で出力に適用される。ＣＰは、ステップ６６０で挿入され、ステップ６７０でタイムウィンドウイングを通じるフィルタリングが適用されて送信信号６８０が発生する。ゼロパディング(zero  padding)は、ガード(guard)ＲＥ(図示せず)及び他のＵＥによる信号送信に使用されるＲＥで基準ＵＥにより挿入されると仮定する。また、便宜上、デジタル/アナログ変換器、アナログフィルタ、増幅器、及び送信器アンテナのような付加的な送信器回路は、当該技術分野では公知のものであるから、図示しない。
【００２３】
ＣＡＺＡＣシーケンスを受信するＮｏｄｅ Ｂ受信器では、逆(相補)送信器機能が遂行される。これは、図６の動作の逆動作が適用される図７に概念的に示されている。アンテナは、ＲＦアナログ信号を受信し、このアナログ信号は(フィルタ、増幅器、周波数ダウン変換器、及びアナログ/デジタル変換器など)ユニットによりさらに処理された後、ステップ７２０で、デジタル受信信号７１０はタイムウィンドウイングを通じてフィルタリングされ、ステップ７３０でＣＰが除去される。その後に、ＣＳはステップ７４０で復旧され、ＦＦＴはステップ７５０で適用される。送信されたＲＥは、ステップ７６５での受信帯域幅の制御下に、ステップ７６０で、サブキャリアデマッピングを通じて選択される。また、図７は、ステップ７７０の乗算器により、ステップ７８０でＣＡＺＡＣシーケンスのレプリカ(replica)との後続相関関係を示す。最後に、出力７９０が獲得され、この出力は、ＲＳのための時間-周波数補間器のようなチャンネル推定ユニットに伝達され、あるいはＨＡＲＱ-ＡＣＫ情報ビット又はＣＱＩ情報ビットにより変調されたＣＡＺＡＣシーケンスのための送信情報を検出するように伝達されることができる。
【００２４】
同一のＣＡＺＡＣシーケンスの相互に異なるＣＳは、直交ＣＡＺＡＣシーケンスを提供する。したがって、同一のＣＡＺＡＣシーケンスの相互に異なるＣＳは、これらのＲＳ又はＵＣＩ信号送信のために、そして直交ＵＥ多重化を達成するために、同一のＰＲＢの異なるＵＥに割り当てられることができる。この原理は、図８に示されている。同一のＣＡＺＡＣシーケンスの複数のＣＳ８２０，８４０，８６０，８８０から各々生成された複数のＣＡＺＡＣシーケンス８１０，８３０，８５０，８７０が直交するために、ＣＳ値Δ８９０は(時間不確実性誤り及びフィルタスピルオーバー効果(filter  spillover  effect)を含む)チャンネル伝搬遅延拡散Ｄを超過しなければならない。ＴＳがＤＦＴ-Ｓ-ＯＦＤＭシンボル持続時間(duration)であると、このようなＣＳの個数は、比ＴＳ/Ｄの数学的フロア(mathematlcal  floor)と同一である。
【００２５】
ＨＡＲＱ-ＡＣＫ  ＰＵＣＣＨ送信構造のための直交多重化は、ＣＡＺＡＣシーケンスの相互に異なるＣＳ値を通じて達成されるだけでなく、時間ドメインで直交カバーリングを適用しても達成することができる。各スロットのＨＡＲＱ-ＡＣＫ及びＲＳシンボルは、第１及び第２の直交コードで各々乗算される。しかしながら、このような多重化態様は、本発明では重要でないため、便宜上、追加説明は省略する。
【００２６】
ＵＣＩがＰＵＳＣＨで送信される場合、他の状況ではデータのために使用される一部ＲＥはＵＣＩのために使用され、これは一般的にデータより良好な受信信頼性を要求する。その結果、ＵＣＩビットを送信するためにデータビットより多いＲＥが必要である。また、ＵＣＩは、そのタイプによって異なる受信信頼性を要求できる。例えば、ＨＡＲＱ-ＡＣＫに対するターゲットビット誤り率(ＢＥＲ）は、ＨＡＲＱ-ＡＣＫの誤り受信がより深刻な結果を招くので、通常ＣＱＩ/ＰＭＩのビット誤り率よりは格段に低く、このような低い値のため、ＨＡＲＱ-ＡＣＫビットは、反復符号化を通じて保護される一方で、一層強力な符号化方法をＣＱＩ/ＰＭＩビットに適用できる。ＰＵＳＣＨにおけるＵＣＩ送信に必要なＲＥの個数は、データ変調及び符号化方式(ＭＣＳ)により決定されるように、データ送信のスペクトル効率に比例する。所定のターゲットデータブロック誤り率(ＢＬＥＲ)に対して、ＭＣＳは、ＵＬ信号送信が経験する信号対干渉及び雑音比(ＳＩＮＲ)に基づく。Ｎｏｄｅ ＢスケジューラはターゲットデータＢＬＥＲを変えられるので、データＭＣＳとの排他的なリンクのみを有する場合を避けるために、各ＵＣＩ信号のＲＥの数に対するオフセットを構成できる。
【００２７】
ＵＣＩ信号の中で、ＨＡＲＱ-ＡＣＫ信号は最高の信頼性要件を有し、各ＲＥは、その復調のために最も正確なチャンネル推定を獲得するために各スロットでＲＳの次に位置され得る。ＰＵＳＣＨでのＨＡＲＱ-ＡＣＫ(又はＲＩ)送信のための符号化シンボルＱ’ の数は、数式(２)に記載されたように決定できる。
【００２８】
【数６】
0005450657.tif 000007
【００２９】
ここで、ＯはＨＡＲＱ-ＡＣＫ(又はＲＩ)ビットの数(例えば、１又は２)であり、
【００３０】
【数７】
0005450657.tif 000008
【００３１】
はＮｏｄｅ ＢによりＵＥへ形成されるオフセットであり、
【００３２】
【数８】
0005450657.tif 000009
【００３３】
は現在サブフレームでのＰＵＳＣＨ  ＢＷである。ＱｍとＲは各々データ変調(ＱＰＳＫ，ＱＡＭ１６，ＱＡＭ６４のためのＱｍ＝２，４，６)のためのビット数及び同一の伝送ブロックに対する初期ＰＵＳＣＨ送信のデータコードレートである。ＨＡＲＱ-ＡＣＫ  ＲＥとデータＭＣＳとの間のリンクは、Ｑｍ・Ｒを通じてなされる。コードレートＲは
【００３４】
【数９】
0005450657.tif 000010
【００３５】
として定義され、ここで、
【００３６】
【数１０】
0005450657.tif 000011
【００３７】
であり、ＳＲＳ送信がＰＵＳＣＨ  ＢＷと少なくとも部分的に重なると、ＮＳＲＳ＝１であり、そうでない場合にはＮＳＲＳ＝０である。最後に、Ｃはコードブロックの総数であり、Ｋｒはブロック番号ｒに対するビットの数である。ＨＡＲＱ-ＡＣＫ(又はＲＩ)ＲＥの数は、サブフレーム当たり４個のＤＦＴ-Ｓ-ＯＦＤＭシンボル(スロット当たり２個のシンボル)に対応する数に制限される。同様の式が、便宜上省略されたサブフレーム当たり符号化されたＣＱＩ/ＰＭＩシンボルの数にも適用される。割り当てられたＵＣＩオフセット及びデータＭＣＳに対するＵＣＩリソースのリンク原理は、ＨＡＲＱ-ＡＣＫ(又はＲＩ)シンボルについて上記に説明した。
【００３８】
ＵＣＩが同一のサブフレームでデータと共に発生する場合、このＵＣＩがＰＵＣＣＨでなく、ＰＵＳＣＨにあるべきいくつかの理由がある。第１の理由は、ＰＵＳＣＨを用いるデータとＰＵＣＣＨを用いるＵＣＩの同時送信(concurrent  transmission)がピーク対平均電力比(ＰＡＰＲ)又は結合された信号送信のキュービックメトリック(Cubic Metric：ＣＭ）を増加させ、これは、またＰＵＳＣＨ又はＰＵＣＣＨのうちいずれか一つのみを用いて送信する場合と同一の受信信頼性を得るために、ＰＵＣＣＨとＰＵＳＣＨともにより高い送信電力を必要とする。このような電力増加は、干渉を増加させ、電力が制限されたＵＥに対しては可能でないこともある。第２の理由は、ＵＣＩペイロードがＰＵＣＣＨで送信されない可能性があるためである。例えば、図５に示すＣＱＩ送信構成に対して、サブフレーム当たり２０個の符号化されたＣＱＩシンボルのみが送信でき、それによって詳細なＣＱＩ報告はＰＵＳＣＨを介して送信する必要がある。
【００３９】
ＰＵＳＣＨでのＵＣＩ及びデータ送信は、シングルキャリア性質を維持し、ＰＵＳＣＨ送信のＣＭ増加を防止するが、ＵＣＩ送信に割り当てられたＰＵＣＣＨリソースが使用されずに残っているため、スペクトルにおいては効率的でない。また、ＰＵＳＣＨを用いるＵＣＩの多重化は、データの代わりにＵＣＩのために使用されるＲＥがたびたび過度に発生する可能性がある。
【００４０】
ＵＣＩとデータの同時送信に加えて、多様なＵＣＩ信号の同時送信がよく発生できる。例えば、ＨＡＲＱ-ＡＣＫ及びＣＱＩ送信は、ＵＥからのデータ送信がない場合に同一のサブフレームで行われる必要がある。シングルキャリア特性を維持しつつ、ＨＡＲＱ-ＡＣＫ及びＣＱＩ信号の同時送信のＣＭ増加を防ぐために、これら２つの多重化は、同一のＰＵＣＣＨで遂行することができる。例えば、ＨＡＲＱ-ＡＣＫ送信は、図５のＰＵＣＣＨ構成で多重化されることができ、３ＧＰＰ(３rd  Generation  Partnership  Project)ＬＴＥ(Long Term Evolution)の場合同様に、ＡＣＫが送信されると、各スロットの第２のＲＳを“-１”でスケーリングし、ＮＡＫが送信されると、“＋１”でスケーリングすることでＣＱＩ送信に使用される。
【００４１】
しかしながら、ＨＡＲＱ-ＡＣＫ送信に割り当てられたＰＵＣＣＨは使用されずに残っており、ＨＡＲＱ-ＡＣＫ  ＢＥＲはＨＡＲＱ-ＡＣＫ信号送信がその固有なＰＵＣＣＨリソースを使用する場合に比べて劣化する問題点があった。
【発明の概要】
【発明が解決しようとする課題】
【００４２】
したがって、本発明は上記した従来技術の問題点を解決するためのものであって、その目的は、ＵＥが同一の送信時間間隔(ＴＴＩ)でアップリンク制御情報(ＵＣＩ)をデータ情報と共に物理アップリンク共有チャンネル(ＰＵＳＣＨ)で又はデータ情報とは別途に物理アップリンク制御チャンネル(ＰＵＣＣＨ)でＮｏｄｅ Ｂに同時送信を遂行する方法及び装置を提供することにある。
【課題を解決するための手段】
【００４３】
上記のような目的を達成するために、本発明の一態様によれば、通信システムのユーザー装置(ＵＥ)において、同一の送信時間間隔(ＴＴＩ)で制御情報をデータ情報と共に物理アップリンク共有チャンネル(ＰＵＳＣＨ）で送信するか、あるいは前記データ情報とは別途に物理アップリンク制御チャンネル(ＰＵＣＣＨ）で送信するか、を決定する方法を提供する。ＵＥが前記同一のＴＴＩで制御情報をデータ情報と共にＰＵＳＣＨで送信するか、あるいはデータ情報とは別途にＰＵＣＣＨで送信するかを構成する情報要素は、ＵＥによって受信される。ＵＥは、上記情報要素が第１の値を有する場合、制御情報をデータ情報と共にＰＵＳＣＨで送信する。情報要素が第２の値を有する場合、ＵＥによって、制御情報はＰＵＣＣＨで送信され、データ情報はＰＵＳＣＨで送信される。
【００４４】
本発明の他の態様によれば、ＵＥにおいて、同一のＴＴＩで制御情報をデータ情報と共にＰＵＳＣＨで送信するか、あるいは前記データ情報とは別途にＰＵＣＣＨで送信するかを決定する方法を提供する。ＰＵＳＣＨでのデータ情報又は制御情報の送信のために利用可能なリソースの総量に対するＰＵＳＣＨでの制御情報の送信のために要求されるリソース量の比は、ＵＥによって決定される。上記比がしきい値以下である場合、ＵＥによって、制御情報はデータ情報と共にＰＵＳＣＨで送信される。上記比がしきい値より大きい場合、ＵＥによって、制御情報はＰＵＣＣＨで送信され、データ情報はＰＵＳＣＨで送信される。
【００４５】
また、本発明の他の態様によれば、ＵＥにおいて、同一のＴＴＩで制御情報をデータ情報と共にＰＵＳＣＨで送信し、あるいは前記データ情報とは別途にＰＵＣＣＨで送信する方法を提供する。データ情報のために使用される変調及び符号化方式(ＭＣＳ)の値が所定のＭＣＳ値より大きい場合、制御情報は、データ情報と共にＰＵＳＣＨで送信される。データ情報のために使用されるＭＣＳ値が前記所定のＭＣＳ値以下である場合、制御情報はＰＵＣＣＨで送信され、データ情報はＰＵＳＣＨで送信される。
【００４６】
さらに、本発明の他の態様によれば、ＵＥにおける第１のチャンネルと第２のチャンネルの送信電力を決定する方法を提供する。第１の公称送信電力(nominal  transmission  power)と第２の公称送信電力との差の絶対値がしきい値以下である場合、ＵＥにより、第１の公称送信電力を有する第１のチャンネルが送信され、第２の公称送信電力を有する第２のチャンネルが送信される。第１の公称送信電力と第２の公称送信電力との差の絶対値がしきい値より大きい場合、ＵＥにより、第１の公称送信電力を有する第１のチャンネルが送信され、第２のチャンネルの送信を中断される。
【００４７】
本発明の他の態様によれば、ＵＥにおいて、同一のＴＴＩで制御情報をデータ情報と共にＰＵＳＣＨで送信し、あるいは前記データ情報とは別途にＰＵＣＣＨで送信する方法を提供する。データ送信が多重入力多重出力(ＭＩＭＯ)送信方法による空間多重化を使用する場合、ＵＥにより、制御情報はＰＵＣＣＨで送信され、データ情報はＰＵＳＣＨで送信される。データ送信がＭＩＭＯ送信方法による空間多重化を使用しない場合、ＵＥにより、制御情報は前記データ情報と共にＰＵＳＣＨで送信される。
【００４８】
また、本発明の他の態様によれば、データ情報をＰＵＳＣＨで送信し、制御情報を前記ＰＵＳＣＨ又はＰＵＣＣＨで送信するＵＥ装置を提供する。上記ＵＥ装置は、制御情報又はデータ情報をＰＵＳＣＨで送信するために利用可能なリソースの総量に対する制御情報をＰＵＳＣＨで送信するために要求されるリソースの量の比をしきい値と比較する比較器と、上記比が前記しきい値以下である場合、制御情報をデータ情報と共にＰＵＳＣＨで送信するための第１のモードで動作する送信器と、上記比がしきい値より大きい場合、制御情報を前記ＰＵＣＣＨで送信し、データ情報をＰＵＳＣＨで送信するための第２のモードで動作する送信器とを含む。
【００４９】
さらに、本発明の他の態様によれば、データ情報をＰＵＳＣＨで送信し、制御情報を前記ＰＵＳＣＨ又はＰＵＣＣＨで送信するＵＥ装置を提供する。上記ＵＥ装置は、データ送信に使用される変調及び符号化方式(ＭＣＳ)の値が所定のＭＣＳ値より大きい場合、制御情報をデータ情報と共にＰＵＳＣＨで送信するための第１のモードで動作する送信器と、データ送信に使用されるＭＣＳの値が所定のＭＣＳ値以下である場合、制御情報をＰＵＣＣＨで送信し、データ情報を前記ＰＵＳＣＨで送信するための第２のモードで動作する送信器とを含む。
【００５０】
加えて、本発明の他の態様によれば、データ情報をＰＵＳＣＨで送信し、制御情報を前記ＰＵＳＣＨ又はＰＵＣＣＨで送信するＵＥ装置を提供する。上記ＵＥ装置は、データ送信がＭＩＭＯ送信方法による空間多重化を使用する場合、制御情報をＰＵＣＣＨで送信し、データ情報をＰＵＳＣＨで送信するための第１のモードで動作する送信器と、データ送信がＭＩＭＯ送信方法による空間多重を使用しない場合、制御情報をデータ情報と共にＰＵＳＣＨで送信するための第２のモードで動作する送信器とを含む。
【発明の効果】
【００５１】
本発明は、ＰＵＣＣＨとＰＵＳＣＨ同時送信に適用される条件の一部が多重同時ＰＵＣＣＨ送信の場合に拡張することができる。例えば、同時送信中に電力差に関する第２の条件を多重同時ＰＵＣＣＨ送信に適用できる。
【００５２】
本発明の上記及び他の様相、特徴、及び利点は、以下のような添付図面とともに続く詳細な説明から、より明白になるだろう。
【図面の簡単な説明】
【００５３】
【図１】ＰＵＳＣＨ送信のためのサブフレーム構成を示す図である。
【図２】データ情報と制御情報をＰＵＳＣＨで送信するための送信器を示すブロック構成図である。
【図３】データ情報と制御情報をＰＵＳＣＨで受信するための受信器を示すブロック構成図である。
【図４】ＰＵＣＣＨでのＨＡＲＱ-ＡＣＫ送信のためのサブフレームを示すブロック構成図である。
【図５】ＰＵＣＣＨでのＣＱＩ送信のためのサブフレームを示すブロック構成図である。
【図６】ＣＡＺＡＣシーケンスのための送信器を示すブロック構成図である。
【図７】ＣＡＺＡＣシーケンスのための受信器を示すブロック構成図である。
【図８】異なる循環シフトの適用を通じてのＣＡＺＡＣシーケンスの多重化を示す図である。
【図９】本発明の一実施形態により、Ｎｏｄｅ ＢからＵＥに構成された“Ｅｎａｂｌｅ_ＰＵＣＣＨ_ＰＵＳＣＨ”フラグを使用してＵＥからＰＵＣＣＨとＰＵＳＣＨ同時送信の活性化又は非活性化を示す図である。
【図１０】本発明の一実施形態により、制御情報をデータ情報と共にＰＵＳＣＨで送信するか、あるいは同一のサブフレームで制御情報をＰＵＣＣＨで送信し、データ情報をＰＵＳＣＨで送信するかを決定するために、総ＰＵＳＣＨリソースに対するＰＵＳＣＨで制御情報を送信するためのリソースの比をしきい値とＵＥによって比較することを示す図である。
【図１１】本発明の一実施形態により、制御情報をデータ情報と共にＰＵＳＣＨで送信するか、あるいは同一のサブフレームで制御情報をＰＵＣＣＨで送信し、データ情報をＰＵＳＣＨで送信するかを決定するためにＰＵＣＣＨとＰＵＳＣＨでの送信のための電力間の絶対差をしきい値とＵＥにより比較することを示す図である。
【図１２】本発明の一実施形態により、ＰＵＳＣＨでのデータ送信がＭＩＭＯ送信方法を使用するか否かに基づいて制御情報をＰＵＣＣＨで送信するようにＵＥによって決定されることを示す図である。
【図１３】本発明の一実施形態により、Ｎｏｄｅ ＢからＵＥに構成された“Ｅｎａｂｌｅ_ＨＡＲＱ-ＡＣＫ_ＣＱＩ”フラグを使用してＵＥからのＨＡＲＱ-ＡＣＫ及びＣＱＩ制御情報のＰＵＣＣＨでの同時送信の活性化又は非活性化を示す図である。
【図１４】本発明の一実施形態により、ＣＱＩ送信構成に多重化された２個のＨＡＲＱ-ＡＣＫビットをＰＵＣＣＨで同時送信してＨＡＲＱ-ＡＣＫ送信構成を用いて他のＨＡＲＱ-ＡＣＫビットをＰＵＣＣＨで送信することを示す図である。
【発明を実施するための形態】
【００５４】
以下、本発明の望ましい実施形態を添付の図面を参照して詳細に説明する。
【００５５】
添付した図において、同一の構成要素または機能的に類似した構成要素に対しては同一の参照符号及び参照番号を付ける。なお、当該技術分野における公知のプロセスまたは構成に関する具体的な説明は、明瞭性と簡潔性のために省略する。
【００５６】
また、本発明は、直交周波数分割多重接続(ＯＦＤＭＡ)通信システムに関して説明するが、一般的な周波数分割多重化(ＦＤＭ)システム及び具体的なＳＣ-ＦＤＭＡ、直交周波数分割多重化(ＯＦＤＭ)、周波数分割多重接続(ＦＤＭＡ)、ＤＦＴ-拡散ＯＦＤＭ、ＤＦＴ-拡散ＯＦＤＭＡ、シングルキャリア(ＳＣ)-ＦＤＭＡ、及びＳＣ-ＯＦＤＭのすべてにも適用される。
【００５７】
本発明の実施形態は、まず、同一のサブフレームでＵＣＩを物理アップリンク共有チャンネル(ＰＵＳＣＨ)でのデータといつ多重化するか、そしてＵＣＩ及びデータを個別的なチャンネル(各々ＰＵＣＣＨ及びＰＵＳＣＨ)を介していつ送信するかを決定するための規則を考慮する。
【００５８】
本発明の第１の実施形態では、Ｎｏｄｅ Ｂが(メディアアクセス制御(ＭＡＣ)層又は無線リソース制御(ＲＲＣ)層での)ユーザー装置（ＵＥ）特定上位層シグナリングを通じて、あるいはＰＵＳＣＨ送信のためのスケジューリング割り当てを提供する(物理層での)ＤＬ制御チャンネルのシグナリングを通じて、物理アップリンク制御チャンネル（ＰＵＣＣＨ）のＵＣＩ及び物理アップリンク共有チャンネル（ＰＵＳＣＨ）のデータのサブフレームでの同時送信を遂行するかを、各ＵＥに通知することを考慮する。例えば、ＵＥが電力制限的であると、ＰＵＣＣＨとＰＵＳＣＨ同時送信による信号送信のＣＭでの任意の増加によって電力増幅器がバックオフされ、ＰＵＣＣＨとＰＵＳＣＨ送信すべての受信信頼性が損傷されるので、ＰＵＳＣＨでのＵＣＩを多重化することが好ましい。また、ハイブリッド自動再送要求確認応答（ＨＡＲＱ-ＡＣＫ）及びチャンネル品質インジケータ（ＣＱＩ）送信構成について上述したように、いろいろなＵＥがＵＣＩ送信を同一のＢＷで多重化するため、ＰＵＣＣＨでの信号送信は干渉制限的である。したがって、Ｎｏｄｅ ＢはＰＵＣＣＨ干渉を低減するためのメカニズムとして、ＵＣＩをＰＵＳＣＨで送信するように一部ＵＥを構成することを選択できる。
【００５９】
図９は、本発明の第１の実施形態により、１ビットの“Ｅｎａｂｌｅ_ＰＵＣＣＨ_ＰＵＳＣＨ”フラグを使用することで、ＵＥからのＰＵＣＣＨ及びＰＵＳＣＨ同時送信を活性化（enabling）又は非活性化(not enabling)する概念を示す。ＵＥは、ステップ９１０で、Ｎｏｄｅ Ｂから“Ｅｎａｂｌｅ_ＰＵＣＣＨ_ＰＵＳＣＨ”フラグを受信すると、ステップ９２０でフラグの値を検査する。その値がゼロであると、ＵＥは、同一のサブフレームでデータ及びＵＣＩ送信を有する場合に、ステップ９３０でＵＣＩをＰＵＳＣＨで送信する。そうでない場合には、ＵＥは、ステップ９４０で、ＵＣＩをＰＵＣＣＨで送信する。
【００６０】
“Ｅｎａｂｌｅ_ＰＵＣＣＨ_ＰＵＳＣＨ”フラグがＰＵＳＣＨ送信をスケジューリングするＤＬ制御チャンネルを介して設定される場合、図９に示したようにその値に基づき、ＵＥは、ＰＵＣＣＨ又はＰＵＳＣＨでの潜在的ＵＣＩ送信を構成し、それ以上の条件は必要ない。しかしながら、ＵＥが送信するＵＣＩを有していない場合、ＰＵＳＣＨ送信のためのスケジューリング割り当てにおいて１ビットを含むことはしばしば無駄であり、これによって不必要な制御オーバーヘッドが発生する可能性がある。(ＭＡＣ又はＲＲＣのような)上位層を通じて“Ｅｎａｂｌｅ_ＰＵＣＣＨ_ＰＵＳＣＨ”フラグを設定することは一層効率的であるが、ＰＵＳＣＨでのＵＣＩ包含又はＰＵＣＣＨでのＵＣＩの別途送信のための動的制御を提供することができない。
【００６１】
本発明の第２の実施形態では、“Ｅｎａｂｌｅ_ＰＵＣＣＨ_ＰＵＳＣＨ”フラグが上位層(ＭＡＣ又はＲＲＣＣ)を通じて設定される場合、このような動的制御を活性化するための条件を考慮する。“Ｅｎａｂｌｅ_ＰＵＣＣＨ_ＰＵＳＣＨ”フラグが０である場合、ＵＥは、ＵＣＩとデータ送信が同一のサブフレームで発生する場合には常にＵＣＩをＰＵＳＣＨで送信する。しかしながら、“Ｅｎａｂｌｅ_ＰＵＣＣＨ_ＰＵＳＣＨ”フラグが１であると、これは、同一のＵＥが同一のサブフレームでデータをＰＵＳＣＨで送信する場合にＵＣＩをＰＵＣＣＨで送信するために、必要であるが不十分な条件を提供することもある。基準ＵＥのための“Ｅｎａｂｌｅ_ＰＵＣＣＨ_ＰＵＳＣＨ”フラグが１に設定されると仮定し、満足させる必要がある追加条件のうち一つ以上を継続して説明する。これは、ＵＥが、同一のサブフレームでＰＵＳＣＨでのデータ送信を有する間は、ＰＵＣＣＨでのＵＣＩ送信を許容するが、強制ではない。
【００６２】
同一のサブフレームでデータをＰＵＳＣＨで送信する間に、ＵＣＩをＰＵＣＣＨで送信するための第１の条件は、前述に基づいてデータ変調及び符号化方式の（ＭＣＳ）に比例可能な、ＰＵＳＣＨでのＵＣＩ送信のために要求されるリソースの量である。ＨＡＲＱ-ＡＣＫの場合について上述したように、ＰＵＳＣＨでＵＣＩのためにＱ’UCI個の符号化シンボルが必要であると仮定すれば、基準サブフレームでデータ送信のために利用可能なすべてのリソースに対するＵＣＩリソースの比
【００６３】
【数１１】
0005450657.tif 000012
【００６４】
が所定のしきい値ＴUCI以下であると、すなわち、ＧUCI≦ＴUCIであると、ＵＣＩ送信がＰＵＳＣＨで発生する。ここで、ＵＣＩ信号は、ＨＡＲＱ-ＡＣＫ、ＲＩ、ＣＱＩ、又はＰＭＩ信号のうち任意のものであり得る。ＵＣＩリソースは、ＰＵＳＣＨでのデータＭＣＳに比例するので、しきい値をＵＣＩタイプにさらに基づくＭＣＳ値として解析してもよいことに注意する。
【００６５】
多重ＵＣＩ信号に対しては、対応する比又はしきい値を追加し、あるいは新たなしきい値を定義することができる。例えば、ＵＥがＨＡＲＱ-ＡＣＫとＣＱＩともを、データもＰＵＳＣＨで送信するサブフレームで送信しようとする場合、ＨＡＲＱ-ＡＣＫ及びＣＱＩは、ＧHARQ-ACK＋ＧCQI≦ＴHARQ-ACK＋ＴCQIである場合にＰＵＳＣＨで送信される。又は、新たなしきい値を導入することによって、ＧHARQ-ACK＋ＧCQI≦ＴHARQ-ACK_CQIである場合にＨＡＲＱ-ＡＣＫ及びＣＱＩをＰＵＳＣＨで送信する。ここで、ＴHARQ-ACK_CQIは、ＰＵＳＣＨでのＨＡＲＱ-ＡＣＫ及びＣＱＩすべての送信に対応するしきい値である。このしきい値は異なることができ、(同時信号送信の場合)ＨＡＲＱ-ＡＣＫ及びＣＱＩともをＰＵＳＣＨで送信することによって、ＰＵＣＣＨ干渉を大きく減少させ、ＣＭの大きい増加を避けることができるため、ＴHARQ-ACK＋ＴCQIより大きいことが好ましい。以前のしきい値は、すべてのＵＥに適用可能な所定の値を有し、あるいは上位層シグナリングを通じてＵＥにシグナリングされてもよい。
【００６６】
図１０は、本発明の一実施形態により、ＵＣＩ送信をＰＵＳＣＨで遂行するか、あるいはＰＵＣＣＨで遂行するかを決定するために基準サブフレームでＰＵＳＣＨでのデータ送信のために利用可能な最大リソースに対するＵＣＩリソースの比としきい値を使用する概念を示す。ＵＥは、まずステップ１０１０で、システム仕様に組み込まれているか、あるいは上位層シグナリングを通じてＵＥに伝達されるＵＣＩしきい値を決定する。続いて、ＵＥは、ステップ１０２０で、基準サブフレームでデータ送信のために利用可能なすべてのリソースに対するすべてのＵＣＩリソースの比ＧUCIを各ＵＣＩしきい値ＴUCIと比較する。ＧUCI≦ＴUCIであると、ＵＥは、ステップ１０３０で、ＵＣＩをデータとともにＰＵＳＣＨで送信する。それとも、ＵＥは、ステップ１０４０で、ＵＣＩをＰＵＣＣＨで送信する。
【００６７】
同一のサブフレームで、データをＰＵＳＣＨで送信する間にＵＣＩをＰＵＣＣＨで送信するための第２の条件は要求される送信電力の差である。異なる送信電力制御方式は、ＰＵＣＣＨとＰＵＳＣＨに適用されると仮定する。ＰＵＣＣＨの送信に適用される電力制御メカニズムに基づく基準サブフレームでのＰＵＣＣＨの送信電力はＰPUCCHで示される。ＰＵＳＣＨ送信に適用される電力制御メカニズムに基づく基準サブフレームでのＰＵＳＣＨの送信電力をＰPSCCHで示される。本発明は、２つの送信電力間の差がしきい値Ｔpower以下である場合にのみ、すなわち|ＰPUCCH-ＰPUSCH |≦Ｔpowerである場合のみに、ＵＣＩがＰＵＣＣＨで送信可能であることに考慮する。第２の実施例では、ＰＵＣＣＨとＰＵＳＣＨの送信電力の平方根(square  root)を考慮でき、これによってＰＵＣＣＨでのＵＣＩ送信のための基準は
【００６８】
【数１２】
0005450657.tif 000013
【００６９】
となる。
【００７０】
しきい値Ｔpower (又はＴ’power)はすべてのＵＥに対して共通的であり、通信システムの仕様に含まれ、あるいは放送チャンネルを介してＮｏｄｅ Ｂによりシグナリングされてもよい。また、これは、ＵＥ特定型でもよく、基準ＵＥにシグナリングする上位層を介してＮｏｄｅ Ｂによりシグナリングされてもよい。また、ＰＵＣＣＨとＰＵＳＣＨ同時送信のためには、(所定のＵＥ増幅器クラスにおいて)総ＵＥ送信電力が最大値Ｐｍａｘより小さく維持される必要があるので、そしてＰＵＣＣＨがＢＥＲ要求事項は少なく、かつＨＡＲＱから利益を獲得しないより厳格なチャンネルであるので、ＰＵＣＣＨ送信電力はＰPUCCHに維持され、ＰＵＳＣＨ送信電力はＰｍａｘ-ＰPUCCH ≦ＰPUSCHであるとＰｍａｘ-ＰPUCCHであり、あるいは Ｐｍａｘ-ＰPUCCH＞ＰPUSCHであるとＰPUSCHである。Ｎｏｄｅ Ｂは、通常にＰＵＳＣＨ送信電力の変化を認識し、その変化を考慮してＰＵＳＣＨでのデータのＭＣＳを適切に調節できるという点に注目する。
【００７１】
図１１は、本発明の一実施形態により、ＵＣＩをＰＵＣＣＨで送信するか、あるいはＰＵＳＣＨで送信するかを決定するように個別的なＰＵＣＣＨ送信(ＵＥからのＰＵＳＣＨ送信がない場合）と個別的なＰＵＳＣＨ送信(基準ＵＥからのＰＵＣＣＨ送信がない場合）の基準サブフレームで送信電力間の差を用いる概念を示す。ＵＥは、まずステップ１１１０で差|ＰPUCCH -ＰPUSCH |を決定し、その次にステップ１１２０でその差をしきい値Ｔpowerと比較する。|ＰPUCCH -ＰPUSCH |≦Ｔpowerであると、ＵＥは、ステップ１１３０でＵＣＩをＰＵＣＣＨで送信する。そうでない場合に、ＵＥは、ステップ１１４０でＵＣＩをＰＵＳＣＨで送信する。
【００７２】
同一のサブフレームでデータをＰＵＳＣＨで送信する間に、ＵＣＩをＰＵＣＣＨで送信するための第３の条件は、対応する周波数又はコード(循環シフト又は直交カバー)リソースにより識別されるように異なるＰＵＣＣＨ送信の個数である。例えば、ＵＥは通信システムの多重コンポーネントキャリア(ＣＣｓ)のＤＬデータパケットを独立的に受信することができる。多重ＨＡＲＱ-ＡＣＫ送信が必要であり、各送信はＤＬデータパケットのコードワードに対応し、別途の各周波数又はコードリソースを必要とすることができる。多重ＨＡＲＱ-ＡＣＫ送信からのＰＵＣＣＨ干渉の導入を避け、信号送信のＣＭ及びＲＳ送信からの関連したオーバーヘッドの増加を避けるために、ＨＡＲＱ-ＡＣＫ送信は、ＰＵＳＣＨで行われる。したがって、ＵＣＩ送信に要求される別途のＰＵＣＣＨリソースの数は、ＵＣＩ送信をＰＵＣＣＨで遂行するか、あるいはＰＵＳＣＨで遂行するかを決定することにおいてその他のパラメータとなり得る。
【００７３】
Ｑ’ACK/NAK個の符号化シンボルが一つのＨＡＲＱプロセスに関連したＨＡＲＱ-ＡＣＫ送信のために必要であり、そしてＱ’’ACK/NAK個の符号化シンボルがＨＡＲＱプロセスに関連したＨＡＲＱ-ＡＣＫ送信のために必要であるならば、ＨＡＲＱ-ＡＣＫ送信は、
【００７４】
【数１３】
0005450657.tif 000014
【００７５】
である場合にＰＵＳＣＨで行なわれる。ここで、ＷＭはＭに基づいている値を有するスケーリング係数(scaling  factor)であり、Ｍ＝１ではＷ１＝１であり、Ｍ＞１ではＷＭ−１＜ＷＭである。例えば、Ｑ’’ACK/NAK＝Ｍ・Ｑ’ACK/NAKであると、周波数又はコードリソースにより決定されるように、多重ＨＡＲＱ-ＡＣＫチャンネルがＰＵＣＣＨでのＨＡＲＱ-ＡＣＫ送信のために必要である場合に、ＰＵＳＣＨでのＨＡＲＱ-ＡＣＫ送信で有利に偏るようにＷＭ＞Ｍである。同一の論拠が、ＨＡＲＱ-ＡＣＫでないＵＣＩ信号にも簡単に適用されることができる。
【００７６】
同一のサブフレームでデータをＰＵＳＣＨで送信する間に、ＵＣＩをＰＵＳＣＨで送信するための第４の条件は、ＰＵＳＣＨ送信のＰＲＢが両側スロット(周波数ホッピングを用いる送信とは対照的にローカル化された送信)で同一であるか否かにある。ローカル化されたＰＵＳＣＨ送信は、通常、ＵＥからの信号送信が高いＳＩＮＲを経験するＰＲＢを選択できるＮｏｄｅ Ｂスケジューラの結果である。逆に、ＰＵＣＣＨ送信が発生できるＰＲＢは、一般的に予め定められ、周波数ホッピング(ＦＨ）は、周波数ダイバシティを改善するために２個のスロットでの送信に適用される。したがって、ＰＵＳＣＨの送信がローカル化される(ＦＨが使用されない)場合、このようなＰＵＳＣＨ送信の潜在的に高いＳＩＮＲがデータＭＣＳにキャプチャされると予想されても、ＰＵＳＣＨでＵＣＩ送信が発生できる。したがって、第４の条件は、既に第１の条件によってある程度のキャプチャが行われている。
【００７７】
同一のサブフレームでデータをＰＵＳＣＨで送信する間に、ＵＣＩをＰＵＳＣＨで送信するための第５の条件は、ＵＥが多重送信器アンテナを有する場合にデータ送信がデータストリームの空間多重化のための多重入力多重出力（ＭＩＭＯ）原理を使用するか否かにある。ＵＣＩ及びデータ多重化は、図２のＤＦＴ以前に発生するため、ＵＣＩ送信はＵＣＩ送信に使用されるＭＩＭＯ層に関係なく常に干渉を経験する。ＵＣＩ受信信頼性は、データのためにＮｏｄｅ Ｂによって使用されるＭＩＭＯ受信器に基づいてＵＣＩ誤り要件はデータ誤り要件とはかなり異なるので、ＭＩＭＯがデータ送信に適用される場合にＰＵＳＣＨでのＵＣＩリソースを決定するプロセスが複雑になる恐れがある。このような複雑性を避け、ＭＩＭＯのためのＮｏｄｅ Ｂ受信器に関係なくＵＣＩ受信信頼性を保証するために、ＵＣＩ送信は、ＰＵＳＣＨでのデータ送信が空間多重化を用いる場合、特に、このようなＵＥが通常に電力制限を受けないので、ＰＵＣＣＨで常に行なわれることができる。データ送信が(送信器アンテナダイバシティを使用できるが)データストリームの空間多重化を利用しないと、ＵＥは、ＵＣＩをデータと共にＰＵＣＳＨで送信でき、あるいは上述したように、ＵＣＩ送信がデータ送信と共にＰＵＳＣＨで行われなければならないか、あるいはデータ送信とは別途にＰＵＣＣＨで行われなければならないかに関する追加条件を検査できる。
【００７８】
図１２は、本発明の一実施形態により、データストリームの空間多重化のためのＭＩＭＯがＰＵＳＣＨでのデータ送信に適用されるか否かに基づき、ＵＣＩ送信のためのチャンネル(ＰＵＣＣＨ又はＰＵＳＣＨ）を決定する概念を示す。ステップ１２１０で、ＭＩＭＯがデータ送信に適用されると決定する場合には、ステップ１２２０でＵＣＩをＰＵＣＣＨで送信し、そうでない場合には、ステップ１２３０でＵＣＩをＰＵＳＣＨで送信する。
【００７９】
本発明の実施形態は、基準サブフレームでＰＵＳＣＨ送信がない場合、一つのＰＵＣＣＨリソースで相互に異なるタイプのＵＣＩ信号を多重化するか、あるいは各リソースごとに一つのＵＣＩ信号のために使用される複数のＰＵＣＣＨリソースを使用するかを決定するための規則を考慮する。本発明の一実施形態は、第１のＵＣＩ信号がＨＡＲＱ-ＡＣＫ信号であり、第２のＵＣＩ信号がＣＱＩ信号である２個のＵＣＩ信号の同一のサブフレームでの送信を考慮する。
【００８０】
図４及び図５を参照してＨＡＲＱ-ＡＣＫ及びＣＱＩ送信構成について各々説明した。ＨＡＲＱ-ＡＣＫ及びＣＱＩ送信を多重化することは、前述したように、図５の構成を用いて各スロットの第２のＲＳを(ＡＣＫに対しては“−１”で、ＮＡＫに対しては“＋１”で)スケーリングすることで達成できる。ＨＡＲＱ-ＡＣＫ及びＣＱＩ多重化は、一般的に、ＣＱＩ  ＢＬＥＲに無視する程度の影響を及ぼすが、ＨＡＲＱ-ＡＣＫ  ＢＥＲに相当な劣化を引き起こしうる。その結果、低いＳＩＮＲで動作するＵＥは、ＨＡＲＱ-ＡＣＫ  ＢＥＲターゲットを満足できず、それによってＨＡＲＱ-ＡＣＫを固有なＰＵＣＣＨリソースを用いて送信することが望ましい。これは、ＣＭ増加にもかかわらず、ＨＡＲＱ-ＡＣＫ及びＣＱＩ多重化よりＨＡＲＱ-ＡＣＫ及びＣＱＩ受信信頼性に、特にＨＡＲＱ-ＡＣＫに対してあまり悪影響を及ぼさない。
【００８１】
本発明の実施形態は、ＨＡＲＱ-ＡＣＫ及びＣＱＩ送信が同一のサブフレームで発生する度にＨＡＲＱ-ＡＣＫ及びＣＱＩ送信を一つのＰＵＣＣＨで多重化するか、あるいはＨＡＲＱ-ＡＣＫ及びＣＱＩのうちいずれか一つは存在し、残りの一つは存在しない場合に各信号の送信のために別途のＰＵＣＣＨを使用するかをシグナリング(ＭＡＣ又はＲＲＣ)する上位層を通じてＮｏｄｅ ＢがＵＥを構成すると仮定する。図１３は、本発明の一実施形態により、“Ｅｎａｂｌｅ_ＨＡＲＱ-ＡＣＫ_ＣＱＩ”フラグを使用することによってＰＵＣＣＨでの別途のチャンネルを使用するＵＥからのＨＡＲＱ-ＡＣＫ及びＣＱＩの同時送信を活性化又は非活性化する概念を示す。これは、図９で説明したＰＵＣＣＨ及びＰＵＳＣＨ同時送信と類似している。ＵＥは、ステップ１３１０で、“Ｅｎａｂｌｅ_ＨＡＲＱ-ＡＣＫ_ＣＱＩ”フラグを受信すると、ステップ１３２０で、そのフラグの値を検査する。フラグ値がゼロであると、ＵＥが同一のサブフレームでＨＡＲＱ-ＡＣＫ及びＣＱＩ送信を有する場合、ＵＥは、ステップ１３３０で、ＣＱＩ送信構成を用いてその２個の信号を多重化する。フラグ値がゼロでない場合には、ＵＥは、ステップ１３４０で、各信号ごとに個別的なＰＵＣＣＨを用いてＨＡＲＱ-ＡＣＫ及びＣＱＩを送信する。
【００８２】
ＰＵＣＣＨでのＨＡＲＱ-ＡＣＫ及びＣＱＩ信号の少なくとも部分的に別途の送信を要求する他の場合は、ＵＥがサブフレームで２個のＨＡＲＱ-ＡＣＫビットより多くの送信を有する場合に該当する。本発明の実施形態は、最大２個のコードワードに対する一つのＨＡＲＱプロセスからのＨＡＲＱ-ＡＣＫが３ＧＰＰ  ＬＴＥのように、図５のＣＱＩ送信構成で多重化すると仮定する。これは、相当な性能損失を負わずに、いろいろなＨＡＲＱ-ＡＣＫビットが多重化されるＣＱＩ送信構成の既存の長さ（existing dimensions）における制限のためである。したがって、同一のサブフレームでＣＱＩチャンネルの数と同一のＨＡＲＱ-ＡＣＫビットの数は、図５の構成を用いてＣＱＩ信号送信と共に多重化される一方で、残りのＨＡＲＱ-ＡＣＫビットは図４の送信構成及びその個別的なＰＵＣＣＨリソースを用いて送信される。この原理は、本発明の一実施形態による図１４に示されている。基準サブフレームにおいて、２個のＨＡＲＱ-ＡＣＫビットは、３ＧＰＰ  ＬＴＥのように、図５の構成を用いてステップ１４１０で１個のＣＱＩチャンネルと多重化される。１個のＨＡＲＱ-ＡＣＫチャンネルは、図４の構成を用いてステップ１４２０で個別的に送信される。
【００８３】
以上、本発明を具体的な実施形態に関して図示及び説明したが、添付した特許請求の範囲により規定されるような本発明の精神及び範囲を外れることなく、形式や細部の様々な変更が可能であることは、当該技術分野における通常の知識を持つ者には明らかである。
【符号の説明】
【００８４】
ＵＥ          ユーザー装置
Ｎｏｄｅ  Ｂ  基地局
ＤＬ          ダウンリンク
ＵＬ          アップリンク
ＢＴＳ        地局送受信システム
ＲＳ          基準信号
ＣＱＩ        チャンネル品質インジケータ
ＰＵＳＣＨ    物理アップリンク共有チャンネル
ＰＵＣＣＨ    物理アップリンク制御チャンネル
ＴＴＩ        送信時間間隔
ＭＩＭＯ      多重入力多重出力
ＰＲＢ        物理リソースブロック
ＲＥ          リソース要素
ＭＣＳ        変調及び符号化方式
【図１】
0005450657.tif 000015
【図２】
0005450657.tif 000016
【図３】
0005450657.tif 000017
【図４】
0005450657.tif 000018
【図５】
0005450657.tif 000019
【図６】
0005450657.tif 000020
【図７】
0005450657.tif 000021
【図８】
0005450657.tif 000022
【図９】
0005450657.tif 000023
【図１０】
0005450657.tif 000024
【図１１】
0005450657.tif 000025
【図１２】
0005450657.tif 000026
【図１３】
0005450657.tif 000027
【図１４】
0005450657.tif 000028